(57)【要約】【課題】オペレータが物品のコードを読み取った体勢で物品情報を視認することが可能となる情報読取装置およびプログラムを提供する。【解決手段】実施形態の情報読取装置は、物品に付されたシンボルに光線を照射する照射部と、前記照射部が照射し前記シンボルで反射した光線を入力して前記物品を特定する物品特定情報を読み取る読取手段と、前記読取手段によって読み取られた前記物品特定情報で特定される物品の物品情報を前記物品上に表示させるように、前記光線の照射を制御する情報表示制御手段と、を備える。【選択図】図６
2016110227.tif 000002
【特許請求の範囲】
【請求項１】
物品に付されたシンボルに光線を照射する照射部と、
前記照射部が照射し前記シンボルで反射した光線を入力して前記物品を特定する物品特定情報を読み取る読取手段と、
前記読取手段によって読み取られた前記物品特定情報で特定される物品の物品情報を前記物品上に表示させるように、前記光線の照射を制御する情報表示制御手段と、
を備えた情報読取装置。
【請求項２】
前記光線はレーザー光線であって、
前記情報表示制御手段は、前記照射部が照射するレーザー光線によって前記物品情報を前記物品上に表示させるように前記レーザー光線の照射を制御する、
請求項１に記載の情報読取装置。
【請求項３】
前記読取手段による前記物品特定情報の読取可能領域を定める指標を前記物品に表示させるように、前記光線の照射を制御する指標表示制御手段、
をさらに備えた、
請求項１または２に記載の情報読取装置。
【請求項４】
前記読み取った前記物品特定情報を情報処理装置に出力する出力手段と、
前記情報処理装置から、出力した前記物品特定情報に基づいた前記物品情報を入力する入力手段と、
をさらに備え、
前記情報表示制御手段は、入力された前記物品情報を前記物品に表示させるように前記光線の照射を制御する、
請求項１乃至３のいずれか一に記載の情報読取装置。
【請求項５】
前記情報表示制御手段は、前記物品情報として、少なくとも前記物品特定情報で特定される物品の物品名を表示させるように前記光線の照射を制御する、
請求項１乃至４のいずれか一に記載の情報読取装置。
【請求項６】
物品に付されたシンボルに光線を照射する照射部を備えた情報読取装置をコンピュータにより制御するためのプログラムであって、
前記コンピュータを、
前記照射部が照射し前記シンボルで反射した光線を入力して前記物品を特定する物品特定情報を読み取る読取手段と、
前記読取手段によって読み取られた前記物品特定情報で特定される物品の物品情報を前記物品上に表示させるように、前記光線の照射を制御する情報表示制御手段と、
して機能させるためのプログラム。
【発明の詳細な説明】
【技術分野】
【０００１】
本発明の実施形態は、情報読取装置およびプログラムに関する。
【背景技術】
【０００２】
ホームセンター等の店舗は、大型の商品あるいは重い商品を販売する。そのため、ＰＯＳ（Point  of  Sales）端末を用いて商品の販売処理を行うオペレータは、ハンディタイプのコードリーダを用いて、サッカー台に載置された商品に付されたシンボルに基づいてコードの読み取りを行う。ハンディタイプのコードリーダを用いることで、オペレータは、大型の商品や重い商品をサッカー台から持ち上げずにコードを読み取ることができる。
【０００３】
このようなハンディタイプのコードリーダは、情報を表示する表示部を有していない。そのため、オペレータは、コードリーダで商品のコードを読み取る度に、サッカー台の横に配置されたＰＯＳ端末に対して約９０度振り向く動作を行い、商品が読み取られたこと、および商品名や商品の価格を視認している。この動作は、オペレータにとって苦痛となっている。なお、商品に限らず物品に付されたコードを読み取る場合について同様の問題がある。
【発明の概要】
【発明が解決しようとする課題】
【０００４】
本発明が解決しようとする課題は、オペレータが物品のコードを読み取った体勢で物品情報を視認することが可能となる情報読取装置およびプログラムを提供することである。
【課題を解決するための手段】
【０００５】
実施形態の情報読取装置は、物品に付されたシンボルに光線を照射する照射部と、前記照射部が照射し前記シンボルで反射した光線を入力して前記物品を特定する物品特定情報を読み取る読取手段と、前記読取手段によって読み取られた前記物品特定情報で特定される物品の物品情報を前記物品上に表示させるように、前記光線の照射を制御する情報表示制御手段と、を備える。
【０００６】
実施形態のプログラムは、物品に付されたシンボルに光線を照射する照射部を備えた情報読取装置をコンピュータにより制御するためのプログラムであって、前記コンピュータを、前記照射部が照射し前記シンボルで反射した光線を入力して前記物品を特定する物品特定情報を読み取る読取手段と、前記読取手段によって読み取られた前記物品特定情報で特定される物品の物品情報を前記物品上に表示させるように、前記光線の照射を制御する情報表示制御手段と、して機能させる。
【図面の簡単な説明】
【０００７】
【図１】図１は、実施形態のＰＯＳ端末とサッカー台とコード読取装置の配置関係を示す斜視図である。
【図２】図２は、ＰＯＳ端末のハードウェア構成を示すブロック図である。
【図３】図３は、コード読取装置のハードウェア構成を示すブロック図である。
【図４】図４は、ＰＯＳ端末の制御処理の流れを示すフローチャートである。
【図５】図５は、コード読取装置の機能構成を示す機能ブロック図である。
【図６】図６は、コード読取装置の制御処理の流れを示すフローチャートである。
【図７】図７は、コード読取装置によるコードの読取可能範囲を示す図である。
【図８】図８は、コード読取装置による商品情報の表示例を示す図である。
【図９】図９は、コード読取装置による他の商品情報の表示例を示す図である。
【図１０】図１０は、コード読取装置による他の商品情報の表示例を示す図である。
【図１１】図１１は、コード読取装置による他の商品情報の表示例を示す図である。
【発明を実施するための形態】
【０００８】
以下、図１〜図１１を参照して、実施形態に係る情報読取装置およびプログラムを詳細に説明する。実施形態では、情報読取装置としてコード読取装置を用いて説明する。また、情報処理装置としてＰＯＳ端末を用いて説明する。また、レーザー光線を光線の一例として説明する。また、商品を物品の一例として説明する。なお、以下に説明する実施形態によりこの発明が限定されるものではない。
【０００９】
図１は、ＰＯＳ（Point  of  Sales）端末１とＰＯＳ端末１に接続されたコード読取装置８とサッカー台６の配置関係を表す斜視図である。図１において、サッカー台６は、長方形状であり、上面に載置面６１を備えている。載置面６１は、顧客が購入する商品を載置する。オペレータは、載置面６１に載置された商品に付されたシンボルに、コード読取装置８から照射されるレーザー光線を当てて、商品を販売するための商品販売処理を実行する。
【００１０】
オペレータは、サッカー台６の一側に位置し、サッカー台６に対面して商品販売処理を実行する。顧客は、サッカー台６のオペレータと反対側に位置する。
【００１１】
ＰＯＳ端末１は、店舗に陳列された商品を顧客に販売する商品販売処理を実行する装置である。ＰＯＳ端末１は、サッカー台６に隣接して設置されている。ＰＯＳ端末１は、操作部２をオペレータ側に向けてサッカー台６に対して約９０度の向きに設置されている。ＰＯＳ端末１は、操作部２、オペレータ用表示部３、客用表示部４、印字部５、コード読取装置８等を備えている。オペレータは、コード読取装置８から照射されるレーザー光線を、サッカー台６の載置面６１に載置された商品に付されたシンボルに当てて商品コードを読み取る商品販売処理を実行する。オペレータは、サッカー台６での商品販売処理が終了すると、ＰＯＳ端末１に対面し、操作部２を操作して決済処理を実行する。
【００１２】
操作部２は、オペレータが操作入力を行うための各種の操作キーを有している。操作キーとしては、例えば、数値を入力するための置数キー、所定の項目を選択するためのカーソルキーや選択決定キーの他、一取引の決済処理を実行させ、当該取引を終了させる締めキー等が設けられている。
【００１３】
オペレータ用表示部３および客用表示部４は、例えば液晶ディスプレイ等であり、販売登録された商品の品名、価格、決済が宣言された一取引の合計金額、釣銭額等の各種情報を表示する。なお、オペレータ用表示部３および客用表示部４をタッチパネル構成としてもよく、この場合、タッチパネルは操作部２として機能する。
【００１４】
オペレータ用表示部３は、決済処理を実行するオペレータが表示面を見ることができるような位置と向きに設置されている。客用表示部４は、顧客が表示面を見ることができるような位置と向きに設置されている。オペレータ用表示部３および客用表示部４は、商品情報を表示する。
【００１５】
印字部５は、レシート、ジャーナル等の印字を行うプリンタ装置で構成される。印字部５は、例えば発熱媒体を有するサーマルヘッドを用いて、長尺状のロール用紙にレシート情報を印字する。印字するレシート情報は、取引において、購入した商品の商品情報や、決済処理に伴う決済情報等である。印字部５は、印字した用紙をカットしてレシート等を発行する。
【００１６】
コード読取装置８は、照射部９５（図３を参照）を備えている。照射部９５は、光源となる半導体レーザーを内蔵した発光部８７と発光したレーザー光線を走査するためのミラー制御部８８を有する。
【００１７】
コード読取装置８は、照射部９５が開口部８０から照射したレーザー光線で形成した矩形上の枠９０（図７を参照）を表示させる。枠９０は、この内部にバーコード等のシンボルが位置している場合に、コード読取装置８が確実にコードを読み取ることができることを示す領域である。オペレータは、この枠９０内にシンボルを位置させてコードを読み取る。
【００１８】
また、コード読取装置８は、照射部９５が照射したレーザー光線を枠９０内に位置するシンボルに照射し、当該シンボルからの反射光に基づいてコードを読み取る。なお、シンボルは商品に付されている。商品に付されているとは、例えば、シンボルが、商品または商品のパッケージに印刷されている状態、あるいは商品または商品のパッケージに貼付される状態をいう。また、シンボルが印刷あるいは貼付されたタグが、商品に結び付けられている状態でもよい。
【００１９】
また、コード読取装置８は、ＰＯＳ端末１から商品情報を入力する。コード読取装置８は、入力した商品情報に基づいてレーザー光線を開口部８０から商品コードを読み取った商品上に照射する。このようにすることで、商品コードを読み取った商品上に商品情報が表示される。
【００２０】
実施形態のコード読取装置８は、ＰＯＳ端末１に電気的に接続されている。コード読取装置８は、例えば、把持部と操作スイッチ（いずれも図示せず）を備えた銃タイプのコードリーダである。オペレータは、コード読取装置８を商品９に付されたシンボルに向けてから、コード読取装置８の把持部を握って操作スイッチを操作する。すると、コード読取装置８は、開口部８０から、レーザー光線を商品に付されたシンボルに向けて走査しながら照射するとともに、当該レーザー光線を用いて商品上に枠９０を表示させる。
【００２１】
オペレータは、商品に付されたシンボルを枠９０内に位置させて、当該シンボルにレーザー光線を照射する。コード読取装置８は、商品に付されたシンボルで反射したレーザー光線を入力してコードを読み取る。読み取ったコードには、商品を特定する商品コード（商品特定情報）が含まれている。コード読取装置８は、読み取ったコードから商品コードを取得し、無線通信または有線通信にてＰＯＳ端末１に出力する。ＰＯＳ端末１のコントローラ１６（入力部、図２を参照）は、コード読取装置８から出力された商品コードを入力する。
【００２２】
すべての商品について商品販売処理を実行したら、オペレータは、体を約９０度回転させてＰＯＳ端末１の方向を向いて、ＰＯＳ端末１を操作して、商品販売処理した商品について決済処理を実行する。決済処理とは、商品販売処理をした商品の合計金額に基づいて、売上げを計上し、釣銭がある場合は釣銭額を表示すること等である。
【００２３】
ＰＯＳ端末１は、コード読取装置８から入力した商品コードに基づいて、商品マスタ（図示せず）から商品情報を読み出す。商品マスタは、ＰＯＳ端末１、あるいは店舗のバックヤードに設置された店舗サーバ（図示せず）に記憶されている。商品マスタは、店舗で販売するすべての商品の商品情報を、商品コードに対応して記憶している。ＰＯＳ端末１は、商品コードが入力されると、当該商品コードに対応した商品情報を商品マスタに問い合わせ、該当する商品情報を読み出す。なお、実施形態では、商品情報は商品名と商品の価格である。ＰＯＳ端末１は、読み出した商品情報を、オペレータ用表示部３および客用表示部４に表示する。ＰＯＳ端末１は読み出した商品情報をコード読取装置８に送信する。
【００２４】
次に、図２を用いて、ＰＯＳ端末１のハードウェア構成について説明する。図２において、ＰＯＳ端末１は、各種演算やＰＯＳ端末１の各部を統括的に制御する制御部１００を備えている。制御部１００は、ＣＰＵ（Central  Processing  Unit）１１、ＲＯＭ（Read  Only  Memory）１２、ＲＡＭ（Random  Access  Memory）１３等によって構成されるコンピュータである。ＲＯＭ１２は、各種プログラムやデータを記憶する。ＲＡＭ１３は、各種プログラムを一時的に記憶し、また各種データを書き換え自在に記憶する。ＣＰＵ１１、ＲＯＭ１２、ＲＡＭ１３、メモリ部１４は、バス１５を介して互いに電気的に接続されている。
【００２５】
メモリ部１４は、電源を切っても記憶情報が保持されるＨＤＤ（Hard  Disc  Drive）やフラッシュメモリ等の不揮発性メモリで構成され、制御プログラム１４１を含むプログラム等を記憶する。制御部１００は、ＣＰＵ１１がＲＯＭ１２やメモリ部１４に記憶されＲＡＭ１３に展開された制御プログラム１４１に従って動作することによって、後述する制御処理を実行する。また、メモリ部１４は、ＰＯＳ端末１において商品販売処理された商品の商品情報を記憶する商品情報部１４２を備えている。
【００２６】
また、バス１５には、操作部２、オペレータ用表示部３、客用表示部４、コード読取装置８、印字部５が、コントローラ１６を介して接続されている。
【００２７】
また、バス１５は、ＰＯＳ端末１が、通信回線１８を介して、店舗内に設置された他のＰＯＳ端末１や店舗サーバ等と通信を行うための通信Ｉ／Ｆ（Interface）１７を接続している。
【００２８】
次に、図３を用いて、コード読取装置８のハードウェア構成について説明する。図３において、コード読取装置８は、各種演算やコード読取装置８の各部を統括的に制御する制御部８００を備えている。制御部８００は、ＣＰＵ８１、ＲＯＭ８２、ＲＡＭ８３等によって構成されるコンピュータである。ＲＯＭ８２は、各種プログラムやデータを記憶する。ＲＡＭ８３は、各種プログラムを一時的に記憶し、また各種データを書き換え自在に記憶する。ＣＰＵ８１、ＲＯＭ８２、ＲＡＭ８３、メモリ部８４は、バス８５を介して互いに電気的に接続されている。
【００２９】
メモリ部８４は、電源を切っても記憶情報が保持されるＨＤＤ（Hard  Disc  Drive）やフラッシュメモリ等の不揮発性メモリで構成され、制御プログラム８４１を含むプログラム等を記憶する。制御部８００は、ＣＰＵ８１がＲＯＭ８２やメモリ部８４に記憶されＲＡＭ８３に展開された制御プログラム８４１に従って動作することによって、後述する制御処理を実行する。また、メモリ部８４は、ＰＯＳ端末１から入力された、ＰＯＳ端末１において商品販売処理された商品の商品情報を記憶する商品情報部８４２を備えている。
【００３０】
また、メモリ部８４は、商品上に、略矩形状の枠を視覚的に表示するための枠情報を記憶する枠情報部８４３を備えている。枠情報は、商品コードを含むシンボルの読取可能領域を定める指標としての図形である。
【００３１】
また、バス８５には、スイッチ８６、発光部８７、ミラー制御部８８が、コントローラ１６を介して接続されている。また、バス８５は、ＰＯＳ端末１と通信を行うための通信Ｉ／Ｆ８９を接続している。発光部８７とミラー制御部８８等で、照射部９５を構成する。発光部８７で発光されたレーザー光線は、ミラー制御部８８で方向を定められ開口部８０から照射する。
【００３２】
制御部８００は、ＰＯＳ端末１から受信した商品情報に同期させて発光部８７オンオフする。制御部８００は、発光部８７から発光されたレーザー光線の光路途中に配置された複数のミラー部８８に設けられたミラーを左右上下に回動させる。ＰＯＳ端末１から受信した商品情報に同期させて発光部８７とミラー制御部８８を制御することで、コード読取装置８は、照射部９５から所望のレーザー光線を照射し、商品上に商品情報を表示する。
【００３３】
商品に付されたシンボルを当該表示された枠内に位置させることで、コード読取装置８は、シンボル化されたコードを正しく読み取ることができる。なお、指標としての図形は、枠に限らない。例えば、領域を表す４つの角部を示す印であってもよい。要は、シンボルの読取可能領域を定める指標であればよい。
【００３４】
続いて、図４のフローチャートを用いて、実施形態に係るＰＯＳ端末１の制御処理について説明する。図４において、制御部１００は、コード読取装置８で読み取ったコードに基づいて、コード読取装置８から商品コードが入力されたか否かを判断する（Ｓ１１）。制御部１００は、コントローラ１６に商品コードを受信したと判断した場合に、商品コードが入力されたと判断する。入力されたと判断した場合は（Ｓ１１のＹｅｓ）、制御部１００は、入力された商品コードに基づいて、商品マスタから、当該商品コードが特定する商品の商品情報を読み出す（Ｓ１２）。
【００３５】
次に制御部１００は、読み出した商品情報を、商品情報部１４２に記憶する商品販売処理を実行する（Ｓ１３）。次に制御部１００は、記憶した商品情報である商品名と商品の価格を、オペレータ用表示部３に表示する（Ｓ１４）。また制御部１００は、商品名と商品の価格を、客用表示部４に表示する（Ｓ１５）。次に制御部１００は、記憶した商品情報を、コード読取装置８に送信する（Ｓ１７）。そして制御部１００は、Ｓ１１に戻る。
【００３６】
また、商品コードの入力ではないと判断した場合は（Ｓ１１のＮｏ）、制御部１００は、締めキー（図示せず）が操作されたか否かを判断する（Ｓ２１）。操作されたと判断した場合は（Ｓ２１のＹｅｓ）、制御部１００は、商品情報部１４２に記憶された商品情報に基づいて算出された、販売された商品の合計金額を表示する（Ｓ２２）。オペレータは、表示された合計金額に基づいて顧客から預った預り金額を入力する。制御部１００は、預り金額が入力されたか否かを判断する（Ｓ２３）。入力されるまで待機し（Ｓ２３のＮｏ）、入力されたと判断した場合は（Ｓ２３のＹｅｓ）、制御部１００は、合計金額と預り金額とに基づいて、決済処理を実行する（Ｓ２４）。そして制御部１００は、Ｓ１１に戻って待機する。なお、締めキーの操作ではないと判断した場合は（Ｓ２１のＮｏ）、制御部１００は、Ｓ１１に戻って待機する。
【００３７】
続いて、図５〜図１１を用いて、実施形態に係るコード読取装置８の制御処理について説明する。図５は、コード読取装置８の機能構成を示す機能ブロック図である。制御部８００が、ＲＯＭ８２やメモリ部８４に記憶された制御プログラム８４１を含む各種プログラムに従うことで、読取手段８０１、情報表示制御手段８０２、指標表示制御手段８０３、出力手段８０４、入力手段８０５を機能させる。
【００３８】
読取手段８０１は、照射部９５が照射しシンボルで反射した光線を入力して物品を特定する物品特定情報を読み取る機能を有する。
【００３９】
情報表示制御手段８０２は、読取手段１０１によって読み取られた物品特定情報で特定される物品の物品情報を物品に表示させるように、照射部９５からの光線の照射を制御する機能を有する。
【００４０】
指標表示制御手段８０３は、読取手段１０１による物品特定情報の読取可能領域を定める指標を物品上に表示させるように、照射部９５からの光線の照射を制御する機能を有する。
【００４１】
出力手段８０４は、読み取った物品特定情報を情報処理装置に出力する機能を有する。
【００４２】
入力手段８０５は、情報処理装置から、出力した物品特定情報に基づいた物品情報を入力する機能を有する。
【００４３】
続いて、図６のフローチャートを用いて、コード読取装置８の制御処理の流れを説明する。図６において、制御部８００は、オペレータによって把持部に設けられたスイッチ８６が握られて操作されたか否かを判断する（Ｓ３１）。操作されたと判断した場合（Ｓ３１のＹｅｓ）、制御部８００（指標表示制御手段８０３）は、枠情報部８４３に記憶されている枠情報に基づいて照射部９５を制御し、矩形状の枠を商品に向けて照射する（Ｓ３２）。この枠が、物品特定情報の読取可能領域を定める指標の一例である。このようにして制御部８００は、商品上に枠を表示させる。
【００４４】
図７は、商品９に付されたシンボル（バーコード）９ａと商品９表示された枠９０を示す図である。図７において、シンボル９ａは、枠９０内に位置している。オペレータは、商品９に付されたバーコード等のシンボル９ａと商品９に表示された枠を見て、枠の内部にシンボル９ａが入るようにコード読取装置８または商品９を相互にずらす。このようにして、照射部９５が商品９を照射する位置を調整する。
【００４５】
図６の説明に戻る。次に制御部８００（読取手段８０１）は、シンボルで反射したレーザー光線を入力することで、商品コードを読み取ったか否かを判断する（Ｓ３３）。読み取ったと判断した場合（Ｓ３３のＹｅｓ）、制御部８００（出力手段８０４）は、読み取った商品コードをＰＯＳ端末１に出力する（Ｓ３４）。そして制御部８００は、Ｓ３１に戻る。
【００４６】
また、読み取っていないと判断した場合は（Ｓ３３のＮｏ）、制御部８００（入力手段８０５）は、ＰＯＳ端末１から、Ｓ３４で出力した商品コードが特定する商品の商品情報を入力したか否かを判断する（Ｓ４１）。通常、Ｓ３３の処理およびＳ４１の処理は、オペレータがスイッチ８６を操作している間に判断される。
【００４７】
商品情報を入力したと判断した場合は（Ｓ４１のＹｅｓ）、制御部８００は、入力した商品情報を、商品情報部８４２に記憶する（Ｓ４２）。次に制御部８００は、Ｓ４２で記憶した商品情報が、直前に記憶した商品情報と同一の商品情報であるか否かを判断する（Ｓ４３）。制御部８００は、商品情報部８４２に記憶した商品情報に基づいて直前に記憶した商品情報か否かを判断する。同一の商品情報ではないと判断した場合は（Ｓ４３のＮｏ）、制御部８００（情報表示制御手段８０２）は、Ｓ４２で記憶した商品情報に基づいて照射部９５を制御してレーザー光線を商品９上に照射する（Ｓ４５）。このようにして制御部８００は、商品の表面上に商品情報を表示させる。そして制御部８００は、Ｓ３１に戻る。
【００４８】
図８は、制御部８００がＳ４５でレーザー光線を照射した結果、商品９上に表示された商品情報を示す図である。図８において、商品情報である商品名９０１および商品の価格９０２が、枠９０内に表示される。商品名９０１および商品の価格９０２は、枠９０内のシンボル９ａの直上の位置に表示される。オペレータは、レーザー光線をシンボル９ａに照射したままの体勢で、表示された商品名９０１と商品の価格９０２を視認することができる。
【００４９】
図６の説明に戻る。直前に記憶した商品情報と同一の商品情報であると判断した場合は（Ｓ４３のＹｅｓ）、制御部８００（情報表示制御手段８０２）は、Ｓ４２で記憶した商品情報に基づいて照射部９５を制御してレーザー光線を商品９上に照射する（Ｓ４４）。この場合制御部８００は、直前に表示された同一商品の表示形態とは異なる表示形態で商品情報を表示させるようにレーザー光線を照射する。すなわち制御部８００は、直前に表示された商品情報と区別できるような表示形態で商品情報が表示されるように、照射部９５からレーザー光線を照射する。そして制御部８００は、Ｓ３１に戻る。
【００５０】
なお、商品情報を入力していないと判断した場合は（Ｓ４１のＮｏ）、制御部８００は、Ｓ３２に戻る。また、スイッチ８６が操作されていないと判断した場合は（Ｓ３１のＮｏ）、制御部８００は、Ｓ３２における枠の図形の照射を非照射とする（Ｓ５１）。そして制御部８００は、Ｓ３１に戻る。
【００５１】
図９〜図１１は、制御部８００がＳ４４でレーザー光線を照射した結果、異なる表示形態で商品９上に表示された商品情報の表示例を示す。図９は、商品名９０１および商品の価格９０２の他に、当該商品と同一商品が商品販売処理された個数９０３を表示したものである。同一商品について続けて商品販売処理を実行した場合、最初（直前）の商品販売処理時には図８のように表示される。続けて同一商品の商品販売処理を実行した場合、２個目の商品であることを示す「×２」が表示される。制御部８００がこのように表示させることで、同一商品について続けて商品販売処理を実行しても、オペレータは、各々の処理が実行されたことを認識（区別）することができる。なお、さらに同一商品の商品販売処理を実行した場合は、「×３」と表示する。
【００５２】
図１０は、同一商品を続けて商品販売処理を実行した場合、商品情報の表示を反転させた表示形態とした例である。制御部８００は、同一商品を続けて商品販売処理を実行した場合、直前の表示（図８）した商品名９０１および商品の価格９０２を反転した表示形態９０４で表示させる。制御部８００がこのように表示を反転した表示形態とすることで、同一商品について続けて商品販売処理を実行しても、オペレータは、各々の処理が実行されたことを認識（区別）することができる。なお、さらに同一商品の商品販売処理を実行した場合は、制御部８００は、さらに反転して表示させる。
【００５３】
図１１は、同一商品を続けて商品販売処理を実行した場合、商品名９０１および商品の価格９０２の表示に下線９０５を表示した表示形態の例である。制御部８００は、同一商品を続けて商品販売処理を実行した場合、直前の表示（図８）に下線を付した表示形態で表示させる。制御部８００がこのように下線を付した表示形態で表示させることで、同一商品について続けて商品販売処理を実行しても、オペレータは、各々の処理が実行されたことを認識（区別）することができる。なお、さらに同一商品の商品販売処理を実行した場合は、制御部８００は、下線の数を増加して表示させる。
【００５４】
このように、実施形態によれば、制御部８００は、ＰＯＳ端末１から入力した商品情報に基づいて照射部９５を制御してレーザー光線を商品９上に照射する。このようにして制御部８００は、商品の表面上に商品情報を表示させる。そのため、オペレータは、レーザー光線を商品９に付されたシンボル９ａに照射したままの体勢で、商品９上に表示された商品情報を視認することができる。これにより、オペレータは、ＰＯＳ端末に対して約９０度振り向く動作を行う必要がない。
【００５５】
また、実施形態によれば、照射部９５によって、商品コードの読取りと商品の表面上に商品情報を表示をすることができるため、商品の表面上に商品情報を表示するために別途照射部を設ける必要がない。なお、この照射部９５は、矩形上の枠９０をも表示するため、枠９０を表示するための照射部を別途設ける必要もない。
【００５６】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。
【００５７】
また、実施形態では、コード読取装置８から照射する光線としてレーザー光線を使用したが、指向性が高いライトビームあるいはレンズや鏡等を使用して絞り込んだライトビームであれば、レーザー光線以外の光線であってもよい。
【００５８】
また、実施形態では、コード読取装置８から照射した商品上に表示する商品情報を商品名と商品の価格とした。しかしながら、当該商品情報を、商品名だけとしてもよい。当該商品情報を、商品の価格だけとしてもよい。また、当該商品情報を、商品名や商品の価格に商品コードや商品の割引情報や商品の属性情報等の単数または複数を適宜加えたものとしてもよい。
【００５９】
また、実施形態では、店舗で販売される商品を物品として説明したが、商品を含む物品であればよい。
【００６０】
なお、実施形態のコード読取装置８で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disc）等のコンピュータで読み取り可能な記録媒体に記録されて提供される。
【００６１】
また、実施形態のコード読取装置８で実行されるプログラムを、インターネット等のネットワークに接続されたコンピュータ上に格納し、ネットワーク経由でダウンロードさせることにより提供するように構成しても良い。また、実施形態のコード読取装置８で実行されるプログラムをインターネット等のネットワーク経由で提供または配布するように構成しても良い。
【００６２】
また、実施形態のコード読取装置８で実行されるプログラムを、ＲＯＭ等に予め組み込んで提供するように構成してもよい。
【符号の説明】
【００６３】
１  ＰＯＳ端末
３  オペレータ用表示部
４  客用表示部
８  コード読取装置
１６  コントローラ
８１  ＣＰＵ
８４  メモリ部
９０  枠
９５  照射部
１００  制御部
８００  制御部
８４３  枠記憶部
【先行技術文献】
【特許文献】
【００６４】
【特許文献１】特開２０１３−５４６４９号公報
【図１】
2016110227.tif 000003
【図２】
2016110227.tif 000004
【図３】
2016110227.tif 000005
【図４】
2016110227.tif 000006
【図５】
2016110227.tif 000007
【図６】
2016110227.tif 000008
【図７】
2016110227.tif 000009
【図８】
2016110227.tif 000010
【図９】
2016110227.tif 000011
【図１０】
2016110227.tif 000012
【図１１】
2016110227.tif 000013